(57)【要約】【課題】個々のロールぺーパーを隙間無く、安定して積み重ねることのできる積段装置を提供すること。【解決手段】無端体を鉛直面内に張架するべく配置された複数のロータと、前記無端体に所定間隔で立設されるとともに、前記ロータ部においてロータの円弧中心角に従って拡開する挿入ロッドと、前記無端体を回転駆動する駆動機構とから構成され、前記挿入ロッドに装着されたロールぺーパーを積段するロールぺーパーの積段装置であって、前記ロータの内の一対は、水平に配置されており前記無端体に連結された挿入ロッドの内、水平を向いた挿入ロッドに順次複数のロールぺーパーを装着する装着部と、積段されたロールぺーパー群を挿入ロッドから外して袋詰めする袋詰め部とを備え、前記ロータの内の頂部に配置されロータにおいて、前記無端体に連結された挿入ロッドを順次鉛直方向に向けて、挿通された複数のロールぺーパーを自重で積段する積段部を備えたので、個々のロールぺーパーを隙間無く、安定して積み重ねることができる。【選択図】図１
2011251717.tif 000002
【特許請求の範囲】
【請求項１】
無端体を鉛直面内に張架するべく配置された複数のロータと、
前記無端体に所定間隔で立設されるとともに、前記ロータ部においてロータの円弧中心角に従って拡開する挿入ロッドと、
前記無端体を回転駆動する駆動機構とから構成され、前記挿入ロッドに装着されたロールぺーパーを積段するロールぺーパーの積段装置であって、
前記ロータの内の一対は、水平に配置されており前記無端体に連結された挿入ロッドの内、水平を向いた挿入ロッドに順次複数のロールぺーパーを装着する装着部と、積段されたロールぺーパー群を挿入ロッドから外して袋詰めする袋詰め部とを備え、
前記ロータの内の頂部に配置されロータにおいて、前記無端体に連結された挿入ロッドを順次鉛直方向に向けて、挿通された複数のロールぺーパーを自重で積段する積段部を備えたことを特徴とするロールぺーパーの積段装置。
【請求項２】
前記ロータは、少なくとも三個存在し、
前記水平に配置された一対のロータの内の一方を挿着部とし、他方のロータ近傍を袋詰め部としたことを特徴とする請求項１に記載のロールぺーパーの積段装置。
【請求項３】
前記袋詰め部において、隣接する複数の挿入ロッドから積段されたロールぺーパー群を外して袋詰めすることを特徴とする請求項１または２に記載のロールぺーパーの積段装置。
【発明の詳細な説明】
【技術分野】
【０００１】
本発明は、小分けして巻き取った後、個々に切断されたトイレットぺーパーロールを所定個数づつ袋詰めする際に、コンパクトで且つ綺麗に袋詰め出来るようにそれぞれのトイレットぺーパーロール等を隙間無く積段するロールぺーパーの積段装置に関するものである。
【背景技術】
【０００２】
一般に、トレイットぺーパーやぺーパータオルは、太径の親ロールに巻かれたウェブ状材料を幅や長さを切断して、小径のロールに巻取り装置で巻き取るとともに、個々の使用寸法に切断し、所定個数づつ袋詰めされて販売されている。
袋詰めの個数は、例えば、８個、１２個、１６個、１８個、２４個等消費者のニーズに合わせて販売される。
従来、袋詰めする際に、所定の個数並べてから袋詰め装置にセットして作業を行っていた。
また、一般的な袋詰め装置としては、例えば、特許文献１に示すような多数枚積層された袋の一枚を取上げて、これの開口部を拡げ、物品を送給する開口保持機へ自動的に装着する装置が知られていた。
【先行技術文献】
【特許文献】
【０００３】
【特許文献１】特開平５−３３０５１８号公報
【発明の概要】
【発明が解決しようとする課題】
【０００４】
しかし、従来の所定の個数並べてから袋詰め装置にセットして作業するものにあっては、作業が繁雑である上に、作業性が悪いものであった。また、特許文献１に示すものにあっては、装置が複雑であるとともに、ロールぺーパー等の袋詰めには適していないと云う問題点が存在した。
【課題を解決するための手段】
【０００５】
前記目的を達成するために、本願発明は無端体を鉛直面内に張架するべく配置された複数のロータと、前記無端体に所定間隔で立設されるとともに、前記ロータ部においてロータの円弧中心角に従って拡開する挿入ロッドと、前記無端体を回転駆動する駆動機構とから構成され、前記挿入ロッドに装着されたロールぺーパーを積段するロールぺーパーの積段装置であって、前記ロータの内の一対は、水平に配置されており前記無端体に連結された挿入ロッドの内、水平を向いた挿入ロッドに順次複数のロールぺーパーを装着する装着部と、積段されたロールぺーパー群を挿入ロッドから外して袋詰めする袋詰め部とを備え、前記ロータの内の頂部に配置されロータにおいて、前記無端体に連結された挿入ロッドを順次鉛直方向に向けて、挿通された複数のロールぺーパーを自重で積段する積段部を備えたことを特徴としている。
【０００６】
また、本願発明において、前記ロータは、少なくとも三個存在し、前記水平に配置された一対のロータの内の一方を挿着部とし、他方のロータ近傍を袋詰め部としたことを特徴とするものである。
【０００７】
また、本願発明において、前記袋詰め部において、隣接する複数の挿入ロッドから積段されたロールぺーパー群を外して袋詰めすることを特徴とするものである。
【発明の効果】
【０００８】
この発明は前記した構成からなるので、以下に説明するような効果を奏することができる。
【０００９】
本願発明では、無端体を鉛直面内に張架するべく配置された複数のロータと、前記無端体に所定間隔で立設されるとともに、前記ロータ部においてロータの円弧中心角に従って拡開する挿入ロッドと、前記無端体を回転駆動する駆動機構とから構成され、前記挿入ロッドに装着されたロールぺーパーを積段するロールぺーパーの積段装置であって、前記ロータの内の一対は、水平に配置されており前記無端体に連結された挿入ロッドの内、水平を向いた挿入ロッドに順次複数のロールぺーパーを装着する装着部と、積段されたロールぺーパー群を挿入ロッドから外して袋詰めする袋詰め部とを備え、前記ロータの内の頂部に配置されロータにおいて、前記無端体に連結された挿入ロッドを順次鉛直方向に向けて、挿通された複数のロールぺーパーを自重で積段する積段部を備えたので、ずれの無い安定した積段が可能となり、綺麗に揃えて袋詰めすることができる。
【００１０】
また、本願発明において、前記ロータは、少なくとも三個存在し、前記水平に配置された一対のロータの内の一方を挿着部とし、他方のロータ近傍を袋詰め部としたので、積段装置の領有面積の削減を図り、設置スペースを有効利用することができる。
【００１１】
また、本願発明において、前記袋詰め部において、隣接する複数の挿入ロッドから積段されたロールぺーパー群を外して袋詰めするので、ロールぺーパーの包装形態に応じて、８個、１２個、１６個、１８個、２４個に自由に包装するロールぺーパーの数を選択できる。
【図面の簡単な説明】
【００１２】
【図１】図１は、本発明の一実施例に係る積段装置の側面図である。
【図２】図２は、同積段装置の頂部を示す説明図である。
【発明を実施するための形態】
【００１３】
本発明は、挿入ロッドに装着されたロールぺーパーを自重で積段し、綺麗に揃えて袋詰めすることのできるロールぺーパーの積段装置を実現した。
【実施例】
【００１４】
以下、一実施の形態を示す図面に基づいて本発明を詳細に説明する。図１は本発明の一実施例に係る積段装置の側面図、図２は本発明の積段装置の頂部を示す説明図である。ここで、ロールぺーパーの積段装置１０は、無端体１１を鉛直面内に張架するべく配置された複数のロータ１２、１３、１４と、無端体１１に所定間隔で立設されるとともに、前記ロータ部においてロータの円弧中心角θに従って拡開する挿入ロッド１５と、無端体１１を回転駆動する駆動機構１６とから構成され、前記挿入ロッド１５に装着されたロールぺーパー１７を積段するロールぺーパー１７の積段装置であって、一対のロータ１２、１４は、水平に配置されており前記無端体１１に連結された挿入ロッド１５の内、水平を向いた挿入ロッド１５ａに順次複数のロールぺーパー１７を装着する装着部Ｓと、積段されたロールぺーパー群を挿入ロッド１５から外して袋詰めする袋詰め部Ｆとを備え、前記ロータの内の頂部に配置されロータ１３において、前記無端体１１に連結された挿入ロッド１５を順次鉛直方向に向けて、挿通された複数のロールぺーパー１７を自重で積段する積段部Ｔを備えている。
【００１５】
無端体１１は、チェーンやベルト等の可撓性を有する巻き掛け伝導機構から成り、一側に所定間隔で立設された挿入ロッド１５をロータ部においてロータの円弧中心角θに従って拡開することができる。また、チェーンを使用する場合、ロータは、チェーンと噛合するための歯車となっている。
【００１６】
挿入ロッド１５は、先端が丸、或いは先細りのテーパ状に形成されており、ロールぺーパーの芯穴１７ａを潰す事無く挿入できるような構造となっている。また、挿入ロッド１５の基部には装着されたロールぺーパー１７の底面が直接無端体１１と接触するのを防止する為の基板１８が設置されている。
無端体１１は、本実施の形態では複数のロータ１２、１３、１４によって、鉛直面内に張架されている。一対のロータ１２、１４は、水平に配置されており、ロータ１２の挿入ロッド１５が水平になる部位が装着部Ｓとなり、図外の搬送装置で送られて来るロールぺーパー１７を順次、挿入ロッド１５に装着する。図に示す例では、３個のロールぺーパー１７を１本の挿入ロッド１５に装着する。この間、無端体１１の駆動は、タイマーによって停止している。また、無端体１１は、２本或いはそれ以上の数が並列して設置されており、図２に示す場合では、２本の無端体１１が並設されている。したがって、本実施の形態においては、１２個のロールぺーパーを袋詰めすることができる。
【００１７】
また、ロータ１３とロータ１４の間は、無端体１１が鉛直に張り渡されており、この間に積段されたロールぺーパー群を挿入ロッド１５から外して袋詰めする袋詰め部Ｆが配置されている。袋詰め部Ｆでは、ベルトコンベア１９によって搬送された一端の開放されたチューブ状フィルムから成る袋体２０内に所定個数のロールぺーパーが挿入ロッド１５から外されて袋詰めされる。この袋詰め部Ｆにおいても、無端体１１の駆動は、所定時間停止している。袋体２０内に袋詰めされた後、図外のシール装置によって、袋体２０の開口部をシールする。  
【００１８】
ロータ１３は、複数のロータの頂部に配置されており、無端体１１に連結された挿入ロッド１５を順次鉛直方向に向けて、挿通された複数のロールぺーパー１７を自重で積段する積段部Ｔを備えている。本実施の形態において、無端体１１の進行方向に隣接する２本の挿入ロッド１５にロールぺーパー１７を装着した後、１本の挿入ロッド１５は空として、次に続く２本の挿入ロッド１５にロールぺーパー１７を装着する。このように装着することで、袋詰め部Ｆにおける袋体２０の挿入を容易にできる。
【００１９】
以上のように構成された本発明に係るロールぺーパーの積段装置は、駆動機構１６によって無端体１１を装着部Ｓ、積段部Ｔ、袋詰め部Ｆの順に回転させ、タイマーによって装着部Ｓで挿入ロッド１５が図外の製品切り出しコンベアの位置で停止する。ここで、挿入ロッド１５に３個のロールぺーパーが装着されると、次の挿入ロッド１５の位置で停止し、更に３個のロールぺーパーを装着する。次に、１本の挿入ロッド１５を空のまま送り、次の進行方向に隣接する２本の挿入ロッド１５に夫々ロールぺーパーを装着する。このような動作を順次繰り返す。
【００２０】
次に、頂部の積段部Ｔにおいては、ロータ１３が無端体１１に連結された挿入ロッド１５を順次鉛直方向に向けて、この鉛直部分で挿通された複数のロールぺーパー１７を自重でそれぞれ積段する。
更に、積段されたロールぺーパー１７は、無端体１１が鉛直に張り渡されたロータ１３とロータ１４の間に位置する袋詰め部Ｆで袋詰めされる。袋詰め部Ｆでは、積段されたロールぺーパー群を挿入ロッド１５から外して、ベルトコンベア１９によって搬送されて来る一端の開放された袋体２０内に袋詰めされる。袋詰め部Ｆにおいても、無端体１１の駆動は、所定時間停止しており、袋体２０内に袋詰めされた後、図外のシール装置によって、袋体２０の開口部をシールする。
【００２１】
なお、以上の実施例では、挿入ロッド１５は単なる棒状の例について説明したが、挿入ロッドの外周に拡開可能の爪を設け、積段後のロールぺーパーを固定するように構成してもよい。
また、図２に示す例では、無端体１１を２列並べる例について説明したが、２列或いはそれ以上並べてもよい。
【符号の説明】
【００２２】
Ｓ        装着部Ｓ
Ｔ        積段部Ｔ
Ｆ        袋詰め部Ｆ  
１０      ロールぺーパーの積段装置
１１      無端体
１２〜１４  ロータ
１５      挿入ロッド
１６      駆動機構
１７      ロールぺーパー
１８      基板
１９      ベルトコンベア
２０      袋体
【図１】
2011251717.tif 000003
【図２】
2011251717.tif 000004